(57)【特許請求の範囲】
【請求項１】
無電極放電灯（１）の外にコイル（７）が配置され、該コイル（７）に高周波電流を流すことにより、無電極放電灯（１）の内部に磁界を発生させて管電流を流し、無電極放電灯（１）を点灯させるようにした無電極放電灯点灯装置において、
無電極放電灯（１）に、無電極放電灯（１）の外面から無電極放電灯（１）の内部向けて凹む複数の凹部（９）が、無電極放電灯（１）の中央部に達しかつ互いに並列するように設けられ、この複数の凹部（９）内における無電極放電灯（１）の中央部側に、前記コイル（７）が、無電極放電灯（１）の外部に生じる磁界をコイル（７）相互間で打ち消し合うように夫々設けられていることを特徴とする無電極放電灯点灯装置。
【発明の詳細な説明】
【０００１】
【産業上の利用分野】
本発明は、電極のない放電灯に放電灯電流を流し、従来の電極のある放電灯と同様の原理で放電灯を点灯させるようにした無電極放電灯点灯装置に関する。
【０００２】
【従来の技術】
無電極放電灯点灯装置は、高周波電流をコイルに流し、磁界を発生させ、電極を介さず直接管電流を流すものであり、既に実用化されている。
従来のこの種の無電極放電灯点灯装置には、図１０及び図１１に示すように硝子体３１の内面に蛍光塗料３２が塗られると共に、通常の蛍光灯と同様に内部にガスが封入されてなる球形の無電極放電灯３３を備え、この球形の無電極放電灯３３の外周に、単一のコイル３４が無電極放電灯３３の回りを一周するように配置されたものがあり、コイル３４に高周波電流を流すことにより、無電極放電灯３３の内部に磁界を発生させて管電流を流し、無電極放電灯３３を点灯させるようになっている。
【０００３】
また、他の従来の無電極放電灯点灯装置には、図１３に示すように無電極放電灯３３に、無電極放電灯３３の外面から無電極放電灯３３の内部に向けて凹む凹部３５が設けられ、この凹部３５内に、コイル３４が設けられ、コイル３４に高周波電流を流すことにより、無電極放電灯３３の内部に磁界を発生させて管電流を流し、無電極放電灯３３を点灯させるように構成されたものがある。
【０００４】
【発明が解決しようとする課題】
しかし、従来の場合、コイル３４に流れる高周波電流によって、無電極放電灯３３の内部の他に、例えば図１２に示すように無電極放電灯３３の外部にも磁界が発生し、これが大きな電波雑音となるという問題があった。
本発明は上記問題点に鑑み、電波雑音を小さく抑えることができるようにしたものである。
【０００５】
【課題を解決するための手段】
この技術的課題を解決するための本発明の技術的手段は、無電極放電灯１の外にコイル７が配置され、該コイル７に高周波電流を流すことにより、無電極放電灯１の内部に磁界を発生させて管電流を流し、無電極放電灯１を点灯させるようにした無電極放電灯点灯装置において、
無電極放電灯１に、無電極放電灯１の外面から無電極放電灯１の内部向けて凹む複数の凹部９が、無電極放電灯１の中央部に達しかつ互いに並列するように設けられ、この複数の凹部９内における無電極放電灯１の中央部側に、前記コイル７が、無電極放電灯１の外部に生じる磁界をコイル７相互間で打ち消し合うように夫々設けられている点にある。
【０００６】
【作用】
複数組のコイル７に高周波電流を流すと、無電極放電灯７の内部に複数ループの交番磁界が生じ、これにより無電極放電灯７の内部に複数ループの管電流が流れて無電極放電灯１が点灯する。このとき、複数組のコイル７に高周波電流が流れることによって、無電極放電灯１の外部にも交番磁界が生じるが、この複数組のコイル７の交番磁界は互いに逆方向であり、外部に生じるこれらの磁界はコイル７相互間で打ち消し合う。従って、外部の磁界によって生じる電波雑音が効果的に抑えられる。
【０００７】
【実施例】
以下、本発明を図示の実施例に従って説明すると、図１乃至図３において、１は無電極放電灯で、図３に示すように硝子体２の内面に蛍光塗料３が塗られると共に、通常の蛍光灯と同様に内部にガスが封入されてなり、この無電極放電灯１は、図１及び図２に示すように円形の平面部４と該平面部４から半球面状に膨出した球面部５とを有する半球状に形成されている。
７は無電極放電灯１の外周に配置したコイルで、無電極放電灯７の平面部４に沿って２組設けられ、これらコイル７に高周波電流を流すと、無電極放電灯７の内部に２ループの管電流が流れて無電極放電灯１を点灯させると共に、無電極放電灯１の外部に生じる磁界をコイル７相互間で打ち消し合うようになっている。即ち、２組のコイル７には、平面部４の外周部に沿って半円状に通った後に平面部４を径方向に通って元の位置に戻る第１コイル７ａと、平面部４の残りの外周部に沿って半円状に通った後に平面部４を径方向に通って元の位置に戻る第２コイル７ｂとがあり、これら第１コイル７ａ及び第２コイル７ｂは略対称な位置に配置されている。
【０００８】
図４は前記図１乃至図３の実施例の変形例を示し、無電極放電灯１の平面部４に沿って４組のコイル７が設けられ、これらコイル７に高周波電流を流すと、無電極放電灯７の内部に４ループの管電流が流れて無電極放電灯１を点灯させると共に、無電極放電灯１の外部に生じる磁界をコイル７相互間で打ち消し合うようになっている。即ち、４組のコイル７には、平面部４に沿ってその１／４ずつを扇形のループを描いて通る第１コイル７ａと第２コイル７ｂと第３コイル７ｃと第４コイル７ｄとがあり、これら第１コイル７ａ、第２コイル７ｂ、第３コイル７ｃ及び第４コイル７ｄは互いに略線対称又は点対称な位置に配置されている。
【０００９】
図５は前記図１乃至図３の実施例の変形例を示し、無電極放電灯１の平面部４に沿って３組のコイル７が設けられ、これらコイル７に高周波電流を流すと、無電極放電灯７の内部に３ループの管電流が流れて無電極放電灯１を点灯させると共に、無電極放電灯１の外部に生じる磁界をコイル７相互間で打ち消し合うようになっている。即ち、３組のコイル７には、平面部４に沿って第１コイル７ａと第２コイル７ｂと第３コイル７ｃとが設けられ、中央の第２コイル７ｂのループの面積が、外側の第１コイル７ａ及び第３コイル７ｃのループの面積の和と略等しくなっている。
【００１０】
図６は他の実施例を示し、無電極放電灯１が球状に形成されている。また、コイル７は、無電極放電灯１の球面に沿ってループを描いて元の位置に戻るように配置されると共に、無電極放電灯１の外部に生じる磁界をコイル７相互間で打ち消し合うように２組設けられいる。即ち、２組のコイル７には、無電極放電灯１の球面に沿って円を描いて元の位置に戻る第１コイル７ａと第２コイル７ｂとがあり、これら第１コイル７ａ及び第２コイル７ｂは略対称な位置に配置さている。
【００１１】
図７は前記図６の実施例の変形例を示し、球状に形成され無電極放電灯１の球面に沿って扇形のループを描いて元の位置に戻るコイル７が、無電極放電灯１の外部に生じる磁界をコイル７相互間で打ち消し合うように４組設けられいる。即ち、４組のコイル７には、無電極放電灯１の球面に沿って扇形のループを描いて元の位置に戻る第１コイル７ａと第２コイル７ｂと第３コイル７ｃと第４コイル７ｄとがあり、これら第１コイル７ａ、第２コイル７ｂ、第３コイル７ｃ及び第４コイル７ｄは互いに略線対称又は点対称な位置に配置されている。
【００１２】
図８及び図９は他の実施例を示し、無電極放電灯１に、無電極放電灯１の外面から無電極放電灯１の内部に向けて凹む凹部９が２個設けられ、この各凹部９内に、コイル７が夫々設けられ、これらコイル７に高周波電流を流すと、無電極放電灯７の内部に２ループの管電流が流れて無電極放電灯１を点灯させると共に、無電極放電灯１の外部に生じる磁界をコイル７相互間で打ち消し合うようになっている。
なお、前記実施例では、無電極放電灯１として硝子体２の内面に蛍光塗料３が塗られた無電極蛍光灯を使用しているが、これに代え、硝子体２の内面に蛍光塗料３が塗られていない無電極水銀灯を使用してもよい。
【００１３】
また、前記実施例では、高周波電流を流すためのコイル７を主として２組又は４組設けているが、コイル７の組の数はこれらに限定されず、無電極放電灯１の外部に生じる磁界がコイル７相互間で打ち消し合うように配置されていれば、３組又は５組以上であってもよい。
さらに、前記図８及び図９の実施例では、無電極放電灯１の外面から無電極放電灯１の内部に向けて凹む凹部９を２個設けているが、これに代え、凹部９を３個以上設け、これら各凹部９内に、コイル７を、無電極放電灯１の外部に生じる磁界がコイル７相互間で打ち消し合うように夫々設けるようにしてもよい。
【００１４】
【発明の効果】
本発明によれば、無電極放電灯１の内部に複数ループの管電流を流して無電極放電灯を点灯させることができると共に、コイル７に流れる高周波電流によって無電極放電灯７の外部に生じる磁界を、コイル７相互間で打ち消すことができ、外部の磁界によって生じる電波雑音を効果的に抑えることができる。
【図面の簡単な説明】
【図１】  本発明の一実施例を示す斜視図である。
【図２】  同側面図である。
【図３】  同底断面図である。
【図４】  他の実施例を示す底断面図である。
【図５】  他の実施例を示す底断面図である。
【図６】  他の実施例を示す斜視図である。
【図７】  他の実施例を示す平面図である。
【図８】  他の実施例を示す側断面図である。
【図９】  同平断面図である。
【図１０】  従来例を示す斜視図である。
【図１１】  同平断面図である。
【図１２】  従来の問題点説明用の斜視図である。
【図１３】  他の従来例を示す側断面図である。
【符号の説明】
１        無電極放電灯
４        平面部
５        球面部
７        コイル
７ａ        コイル
７ｂ        コイル
９        凹部
【図１】
0003869031.tif 000002
【図２】
0003869031.tif 000003
【図３】
0003869031.tif 000004
【図４】
0003869031.tif 000005
【図５】
0003869031.tif 000006
【図６】
0003869031.tif 000007
【図７】
0003869031.tif 000008
【図８】
0003869031.tif 000009
【図９】
0003869031.tif 000010
【図１０】
0003869031.tif 000011
【図１１】
0003869031.tif 000012
【図１２】
0003869031.tif 000013
【図１３】
0003869031.tif 000014